(57)【要約】【課題】鼻孔から容易に取り出すことができ、さらに鼻孔内で適切な押し込み位置に配することができる鼻栓ユニットを提供する。【解決手段】鼻栓ユニット１は、中空円筒形形状を有する鼻栓本体２と、該鼻栓本体の軸線方向に貫通する貫通孔３と、貫通孔３よりも長尺な棒形状の棒材５と、該棒材５の先端に配されて外方に広がり貫通孔３の径よりも小径の笠部６と、笠部６から貫通孔３の全長よりも長い位置に配され、棒材５の外方に広がり貫通孔３の径よりも大径の円板部７とを含む補助具４とを備えている。【選択図】        図３
2020151203.tif 000002
【特許請求の範囲】
【請求項１】
人の鼻孔に対して挿入及び取出しをされるべき吸水性材料で形成された中空円筒形形状を有する鼻栓本体と、
該鼻栓本体の軸線方向に貫通する貫通孔と、
前記鼻栓本体を前記鼻孔に対して挿入及び取出しをするための補助具であって、
該貫通孔よりも長尺な棒形状の棒材と、
該棒材の先端に配されて外方に広がり前記貫通孔の径よりも小径の笠部と、
前記棒材の途中部分であって前記笠部から前記貫通孔の全長よりも長い位置に配され、前記棒材の外方に広がり前記貫通孔の径よりも大径の円板部とを含む補助具とを備えたことを特徴とする鼻栓ユニット。
【請求項２】
前記笠部の前記棒材から外方に広がっている部分の突出距離は、前記鼻栓本体の挿入方向先端面にて前記貫通孔から前記鼻栓本体外縁までの広がり距離よりも短いことを特徴とする請求項１に記載の鼻栓ユニット。
【請求項３】
前記笠部から前記円板部までの設定距離は、前記貫通孔の全長と略同一であることを特徴とする請求項１に記載の鼻栓ユニット。
【発明の詳細な説明】
【技術分野】
【０００１】
本発明は、鼻孔に詰めて保持するタイプの鼻栓ユニットに関するものである。
【背景技術】
【０００２】
花粉症等で鼻水が止まらない場合、常にティッシュ等で鼻をかまなければならず、その行為を繰り返すことは大変苦痛なものである。このような手間を省くため、鼻孔に吸水性材料からなる詰め物を詰めて対応する考え方は知られている。しかしながら単純に詰め物を詰めただけでは鼻孔からの呼吸が困難となり、利用者にとって大変息苦しく、使用性が大変悪いものであった。
【０００３】
このような詰め物を鼻孔に詰めた際に、呼吸がしやすくなるように工夫されたものも知られている（例えば特許文献１参照）。特許文献１では、詰め物の形状を円筒形状とし、その中空部分からの呼吸を可能としている。
【先行技術文献】
【特許文献】
【０００４】
【特許文献１】特開２００７−０１４７３３号公報
【発明の概要】
【発明が解決しようとする課題】
【０００５】
しかしながら、特許文献１のように呼吸するための空洞を設けてしまうと、当該詰め物を鼻腔から取り出すときに困難となる。詰め物を鼻孔から取り出す際は、多くの場合、鼻をかむ要領で肺からの呼気の圧力を利用して詰め物を外側に押し出すことで取り出す。しかし空洞があることにより、呼気の圧力損失が増大するので、呼気の風圧により詰め物を外側に押し出すことが困難となる。このため、指により詰め物を摘まんで取り出すしか手段はなかった。鼻孔は指に対して非常にその径が小さいため、鼻孔内の詰め物を摘まむことは困難である。また、鼻孔に詰め込む際も指で押し込みすぎることもあり、鼻孔の奥深くまで詰め物が入ってしまうとその取出し作業（指で摘まんで取り出す作業）はさらに困難となり、取り扱い性が悪いものである。
【０００６】
本発明は、上記従来技術を考慮したものであり、鼻孔から容易に取り出すことができ、さらに鼻孔内で適切な押し込み位置に配することができる鼻栓ユニットを提供することを目的とする。
【課題を解決するための手段】
【０００７】
前記目的を達成するため、本発明では、人の鼻孔に対して挿入及び取出しをされるべき吸水性材料で形成された中空円筒形形状を有する鼻栓本体と、該鼻栓本体の軸線方向に貫通する貫通孔と、前記鼻栓本体を前記鼻孔に対して挿入及び取出しをするための補助具であって、該貫通孔よりも長尺な棒形状の棒材と、該棒材の先端に配されて外方に広がり前記貫通孔の径よりも小径の笠部と、前記棒材の途中部分であって前記笠部から前記貫通孔の全長よりも長い位置に配され、前記棒材の外方に広がり前記貫通孔の径よりも大径の円板部とを含む補助具とを備えたことを特徴とする鼻栓ユニットを提供する。
【０００８】
好ましくは、前記笠部の前記棒材から外方に広がっている部分の突出距離は、前記鼻栓本体の挿入方向先端面にて前記貫通孔から前記鼻栓本体外縁までの広がり距離よりも短い。
【０００９】
好ましくは、前記笠部から前記円板部までの設定距離は、前記貫通孔の全長と略同一である。
【発明の効果】
【００１０】
本発明によれば、鼻栓本体が鼻孔に挿入されている状態において、貫通孔内に補助具を挿入して笠部の下面を鼻栓本体の先端面に引っかけて引き下げることにより容易に鼻栓本体を取り出すことができる。また、鼻栓本体を鼻孔に挿入するときに、貫通孔内に補助具を挿入して鼻孔内に入れ込む際、円板部が鼻の下面に突き当たるので鼻栓本体を必要以上に鼻孔の奥深くまで挿入してしまうことが防止される。
【図面の簡単な説明】
【００１１】
【図１】本発明に係る鼻栓ユニットの鼻栓本体を示す概略図である。
【図２】本発明に係る鼻栓ユニットの補助具を示す概略図である。
【図３】鼻栓本体を鼻孔に挿入するときの説明図である。
【図４】鼻栓本体を鼻孔に挿入するときの説明図である。
【図５】鼻栓本体を鼻孔から取り出すときの説明図である。
【図６】鼻栓本体を鼻孔から取り出すときの説明図である。
【図７】本発明に係る鼻栓ユニットの利用例を示す概略図である。
【発明を実施するための形態】
【００１２】
図１に示すように、本発明に係る鼻栓ユニット１の構成要素の一部である鼻栓本体２は、中空円筒形形状を有している。したがって、鼻栓本体２の軸線方向には貫通孔３が貫通して形成されている。鼻栓本体２は人の鼻孔に対して挿入及び取出しをされるべきものであるため、一方の端部（図１では上側の先端側）に向けて先細りとなるように、その側面はテーパ形状にて形成されている。すなわち、先細りとなった先端側から鼻孔に挿入されるので、挿入しやすい形状となっている。しかし鼻栓本体２としては、テーパ形状を有さない円筒形であってもよい。鼻孔に挿入された状態では、鼻水等が鼻孔から垂れ下がるのを防止するため、その鼻水等を吸収すべく鼻栓本体２は吸水性材料で形成されている。このとき、鼻栓本体２は黒色であることが好ましい。黒色とすることで人の鼻孔を外部から見たときと同様の色になるので、外見からも違和感なく装着することができる。
【００１３】
図２に示すように、鼻栓ユニット１はさらに構成要素として補助具４を備えている。この補助具４は鼻栓本体２を鼻孔に対して挿入及び取出しをするためのものである。補助具４は、鼻栓本体２に形成された貫通孔３よりも長尺な棒形状の棒材５を有している。この棒材５の先端には笠部６が形成されている。笠部６は棒材５の先端から外方に広がり、フランジ状に形成されている。鼻栓本体２を鼻孔に挿入する際、棒材５とともに笠部６は貫通孔３に挿通されるので、笠部６の径は貫通孔３の径よりも小径である。
【００１４】
一方で棒材５の途中部分には、円板部７が備わっている。この円板部７は棒材５から外方に広がる略円板形状を有している。また、笠部６から円板部７までの設定距離Ｄ１は、貫通孔３の全長Ｄ２よりも長く形成されている。さらに、円板部７の径は貫通孔３の径よりも大径である。
【００１５】
図３及び図４に示すように、鼻栓ユニット１を用いて鼻栓本体２を鼻孔８内に挿入する際は、まず補助具４の先端側（笠部６が配された側）を貫通孔３に挿通する（矢印Ａ）。このとき、笠部６から円板部７までの設定距離Ｄ１は貫通孔３の全長Ｄ２よりも長いため、笠部６は貫通孔３を通り抜けて鼻栓本体２の先端側から突出する。したがって円板部７は鼻栓本体２の下面に当接する。このため、鼻栓本体２は円板部７によって押し込まれ、鼻孔８内に圧入される。円板部７の径を鼻栓本体２の下面よりも大径とすれば、円板部７は鼻の下面に突き当たるので、鼻栓本体２が必要以上に鼻孔８の奥深くまで挿入されることが防止される。この効果は、円板部７を鼻孔８の入り口よりも大径とすればよいが、人によってその大きさは様々であるため、鼻栓本体２の下面よりも大径としておくことで十分に対応可能である。鼻栓本体２は鼻孔８に圧入されるので、鼻栓本体２の径は、圧入後縮まるからである。
【００１６】
鼻栓本体２が鼻孔８に圧入された状態では、鼻水等は吸水材料からなる鼻栓本体２に吸収されるので鼻をかむ頻度が少なくなる。また、貫通孔３により呼吸のための気道が確保されるので、違和感なく快適に鼻栓本体２を鼻孔８内に配したままとできる。
【００１７】
なお、笠部６から円板部７までの設定距離Ｄ１を貫通孔３の全長Ｄ２と略同一とすれば、補助具４を鼻栓本体２に挿通させたときに、笠部６が鼻栓本体２の先端から突出する突出距離を少なくできる。このため、笠部６による鼻孔８の奥深くでの接触による痛み等を回避できる。
【００１８】
図５及び図６に示すように、鼻栓本体２を鼻孔８から取り出す際は、鼻栓本体２が鼻孔８に圧入されている状態で補助具４を貫通孔３内に挿通させる。笠部６が鼻栓本体２を貫通した後、棒材５を横に移動させ、貫通孔３の壁面に当接させる。そしてそのまま（棒材５が貫通孔３の壁面に当接したまま）補助具４を引き下げる（矢印Ｂ）と、笠部６の下面が鼻栓本体２の先端面に引っかかり、補助具４とともに鼻栓本体２が鼻孔８から引き出される。したがって容易且つ迅速に鼻栓本体２を鼻孔８から取り出すことができる。引き出された鼻栓本体２は円板部７に支持されるため、落下してしまうことはない。
【００１９】
ここで、笠部６の棒材５から外方に広がっている部分の突出距離Ｄ３は、鼻栓本体２の挿入方向先端面にて貫通孔３から鼻栓本体２の外縁までの広がり距離Ｄ４よりも短い。これにより、鼻栓本体２を引き出す際に笠部６が鼻栓本体２の外側にはみ出ることがないので、笠部６が鼻孔８の内壁に当接することを防止できる。
【００２０】
図７に示すように、鼻孔８から鼻栓本体２を引き出した後、利用者は棒材５を持ったまま笠部６の側を下向きにすることで、容易に鼻栓本体２を落下させることができる（図７の矢印方向）。そのまま下側にゴミ箱９を配すれば、利用者は使用後の鼻栓本体２に触れることなく鼻栓本体２を廃棄することができる。したがって取り扱い性がよい。
【符号の説明】
【００２１】
１：鼻栓ユニット、２：鼻栓本体、３：貫通孔、４：補助具、５：棒材、６：笠部、７：円板部、８：鼻孔、Ｄ１：設定距離、Ｄ２：貫通孔の全長、Ｄ３：突出距離、Ｄ４：広がり距離
【図１】
2020151203.tif 000003
【図２】
2020151203.tif 000004
【図３】
2020151203.tif 000005
【図４】
2020151203.tif 000006
【図５】
2020151203.tif 000007
【図６】
2020151203.tif 000008
【図７】
2020151203.tif 000009